(57)【特許請求の範囲】
【請求項１】
棒状の可撓性を有する支持部と、
前記支持部の先端の一方に対し、平面視矩形でなる第１の基板における一の辺に形成された第１切欠部と対向して係合可能に設けられた第１係合凸部と、
前記支持部の先端の他方に対し、平面視矩形でなる第２の基板における他の辺に形成された第２切欠部と対向して係合可能に設けられた第２係合凸部と
を備えることを特徴とするスナップフィット。
【請求項２】
その面同士が重ねられることなく同一平面上に並べられた前記第１の基板と前記第２の基板との間に前記支持部が配置され、
前記支持部が撓んだとき、前記第２の基板の前記第２切欠部に対する前記第２係合凸部の係合状態が解消されるとともに、前記第１の基板の前記第１切欠部に対する前記第１係合凸部の係合状態が開始される
ことを特徴とする請求項１に記載のスナップフィット。
【請求項３】
前記第１係合凸部および前記第２係合凸部には、前記第１の基板および前記第２の基板の面を両側から挟み付けて支持するガイド部が一体に形成されている
ことを特徴とする請求項１または２に記載のスナップフィット。
【請求項４】
前記支持部の先端の端面には、工具差込口が形成されている
ことを特徴とする請求項１乃至３いずれか１項に記載のスナップフィット。
【請求項５】
棒状の可撓性を有する支持部と、前記支持部の先端の一方に設けられ、平面視矩形でなる第１の基板における一の辺に形成された第１切欠部と対向して係合可能に形成された第１係合凸部と、前記支持部の先端の他方に設けられ、平面視矩形でなる第２の基板における他の辺に形成された第２切欠部と対向して係合可能に形成された第２係合凸部とからなるスナップフィットと、
その面同士が重ねられることなく同一平面上に前記第１の基板および前記第２の基板が並べられた状態で、前記第１の基板および前記第２の基板の間に配置された前記スナップフィットが一体に固定された筐体と
を備えることを特徴とするスナップフィット付筐体。
【発明の詳細な説明】
【技術分野】
【０００１】
本発明は、スナップフィットおよびスナップフィット付筐体に関し、特に、２つの部材間において、一方の部材に設けられた係合孔と、他方の部材に設けられた係合爪とを係合させることにより組み付けるスナップフィットおよびスナップフィット付筐体に関するものである。
【背景技術】
【０００２】
従来、下カバーに上カバーを結合させるに際し、下カバーに設けられたツメ部を上カバーに設けられたツメ係止部に係止させることにより結合するスナップフィット結合構造が提案されている（例えば、特許文献１を参照。）。
【０００３】
この特許文献１のスナップ結合構造においては、工具の先端を工具挿入穴から挿入してツメ部を撓ませることによりツメ部とツメ係止部との係止状態を解除し、下カバーから上カバーを取り外すことができる。
【０００４】
また、プラスチック係合部材の爪を被係合部材の係合穴に挿入して係合させることにより組み付けるスナップ係合構造が提案されている（例えば特許文献２を参照。）
【０００５】
この特許文献２のスナップフィット係合構造においては、プラスチック係合部材の底面から突設された複数個の爪が、被係合部材の係合穴に挿入されて両者が係合される。そして、プラスチック係合部材の爪の手前側に設けられた差込み口からドライバー等の分解工具を差し入れた状態で持ち上げることにより、プラスチック係合部材と被係合部材とを分離することができる。
【先行技術文献】
【特許文献】
【０００６】
【特許文献１】特開平７−１８０７１１号公報
【特許文献２】特開平１０−１７３３６８号公報
【発明の概要】
【発明が解決しようとする課題】
【０００７】
ところで、上述した特許文献１のスナップフィット結合構造においては、左右両側の工具挿入穴から工具を挿入する必要があり、下カバーから上カバーを取り外すには２回の工具挿入操作を同時に行う必要があり、係止状態を解消するのに煩雑な操作を作業者に強いるという問題があった。
【０００８】
また、上述した特許文献２のスナップフィット係合構造においては、プラスチック係合部材と被係合部材との係合状態を解除するために、ドライバー等の分解工具を差し入れた状態でプラスチック係合部材を持ち上げたときに爪を破損させる構造であり、当該爪を１度破損させてしまうと再利用することができず、リサイクルに適さないという問題があった。
【０００９】
本発明はこのような問題を解決するためのものであり、簡単な操作でスナップフィットの係合状態を解消するとともに何度でも再利用可能なスナップフィットおよびスナップフィット付筐体を提供することを目的としている。
【課題を解決するための手段】
【００１０】
この目的を達成するために、本発明は、棒状の可撓性を有する支持部（２２）と、前記支持部（２２）の先端の一方に対し、平面視矩形でなる第１の基板（ＰＳ１）における一の辺に形成された第１切欠部（Ｋ１）と対向して係合可能に設けられた第１係合凸部（２７）と、前記支持部（２２）の先端の他方に対し、平面視矩形でなる第２の基板（ＰＳ２）における他の辺に形成された第２切欠部（Ｋ２）と対向して係合可能に設けられた第２係合凸部（２６）とを備えるようにする。
【００１１】
本発明において、その面同士が重ねられることなく同一平面上に並べられた前記第１の基板（ＰＳ１）と前記第２の基板（ＰＳ２）との間に前記支持部（２２）が配置され、前記支持部（２２）が撓んだとき、前記第２の基板（ＰＳ２）の前記第２切欠部（Ｋ２）に対する前記第２係合凸部（２６）の係合状態が解消されるとともに、前記第１の基板（ＰＳ１）の前記第１切欠部（Ｋ１）に対する前記第１係合凸部（２７）の係合状態が開始されるようにする。
【００１２】
本発明において、前記第１係合凸部（２７）および前記第２係合凸部（２６）には、前記第１の基板（ＰＳ１）および前記第２の基板（ＰＳ２）の面を両側から挟み付けて支持するガイド部（２３）が一体に形成されているようにする。
【００１３】
本発明において、前記支持部（２２）の先端の端面には、工具差込口（２５）が形成されているようにする。
【００１４】
本発明において、棒状の可撓性を有する支持部（２２）と、前記支持部（２２）の先端の一方に設けられ、平面視矩形でなる第１の基板（ＰＳ１）における一の辺に形成された第１切欠部（Ｋ１）と対向して係合可能に形成された第１係合凸部（２７）と、前記支持部（２２）の先端の他方に設けられ、平面視矩形でなる第２の基板（ＰＳ２）における他の辺に形成された第２切欠部（Ｋ２）と対向して係合可能に形成された第２係合凸部（２６）とからなるスナップフィット（２０）と、その面同士が重ねられることなく同一平面上に前記第１の基板（ＰＳ１）および前記第２の基板（ＰＳ２）が並べられた状態で、前記第１の基板（ＰＳ１）および前記第２の基板（ＰＳ２）の間に配置された前記スナップフィット（２０）が一体に固定された筐体（２）とを備えるようにする。
【発明の効果】
【００１５】
本発明によれば、支持部（２２）が撓んでいない状態では、第２係合凸部（２６）が第２の基板（ＰＳ２）の第２切欠部（Ｋ２）と係合し、支持部（２２）が撓んだ状態では、第２係合凸部（２６）と第２切欠部（Ｋ２）との係合状態が解消されて第２の基板（ＰＳ２）を取り出すことができる一方、第１係合凸部（２７）が第１の基板（ＰＳ２）の第１切欠部（Ｋ１）と係合するので、当該第１の基板（ＰＳ２）が取り出されることを防止することができる。支持部（２２）は撓むだけであり、支持部（２２）が撓んだ状態では、第２係合凸部（２６）と第２の基板（ＰＳ２）の第２切欠部（Ｋ２）との係合状態が解消されて当該第２の基板（ＰＳ２）を取り出すことができるので、第１係合凸部（２７）および第２係合凸部（２６）が破損することなく再利用することができる。
【図面の簡単な説明】
【００１６】
【図１】本実施の形態におけるスナップフィット付筐体の全体構成を示す斜視図である。
【図２】本実施の形態におけるスナップフィット付筐体のカバーが取り外された状態を示す斜視図である。
【図３】本実施の形態におけるスナップフィット付筐体に回路基板が装着された状態を示す斜視図である。
【図４】本実施の形態におけるスナップフィット付筐体の基板収納空間における回路基板の装着状態を示す斜視図である。
【図５】本実施の形態におけるスナップフィットの構成を示す正面図、断面図および側面図である。
【図６】本実施の形態におけるスナップフィットから回路基板を取り外す際の動作の説明に供する図である。
【図７】本実施の形態におけるスナップフィットから回路基板を取り外す際の当該スナップフィットの動きを示す図６の拡大図である。
【図８】他の実施の形態におけるスナップフィットの構成を示す断面図である。
【発明を実施するための形態】
【００１７】
以下、図面を参照しながら本発明の実施の形態について説明する。図１は、本実施の形態におけるスナップフィット付筐体１の外観構成を示す。図２は、スナップフィット付筐体１の筐体２からカバー２ａが取り外された状態を示す。図３は、スナップフィット付筐体１に回路基板ＰＳが装着された状態を示す。図４は、基板収納空間ＳＳ１において４枚の回路基板ＰＳ１〜ＰＳ４が装着された状態を示す。図５はスナップフィット２０の正面構成（Ａ）、断面構成（Ｂ）および側面構成（Ｃ）を示す。
【００１８】
＜スナップフィット付筐体の構成＞
図１乃至図３に示すように、１は、各種機器を制御する例えばシーケンサ等の本体部として用いられるスナップフィット付筐体であり、略直方体形状でなる筺体２の正面には着脱自在なカバー２ａが取り付けられている。ここで、カバー２ａを正面視した状態において、鉛直方向を矢印ＵＤで示し、左右方向を矢印ＬＲで示し、奥行き方向を矢印ＦＢで示す。
【００１９】
筐体２の内部には、仕切板３、４を介して３つの基板収納空間ＳＳ１〜ＳＳ３が設けられている。基板収納空間ＳＳ１は、筺体２の一方の内側側壁２ａと、当該内側側壁２ａと対向する仕切板３の一方の側壁３ａと、筺体２の天井面と、筺体２の底面とによって囲まれた空間である。基板収納空間ＳＳ２は、仕切板３の他方の側壁３ｂと、当該側壁３ｂと対向する仕切板４の一方の側壁４ａと、筺体２の天井面と、筺体２の底面とによって囲まれた空間である。基板収納空間ＳＳ３は、仕切板４の他方の側壁４ｂと筐体２の他方の内側側壁２ｂと、筺体２の天井面と、筺体２の底面とによって囲まれた空間である。
【００２０】
基板収納空間ＳＳ１において、筐体２の内側側壁２ａと仕切板３の側壁３ａとの間には、第１の基板ＰＳ１〜第４の基板ＰＳ４を着脱自在に保持するためのスナップフィット２０が矢印ＵＤで示す鉛直方向に沿って３個直列に設けられている。
【００２１】
基板収納空間ＳＳ２においても、仕切板３の側壁３ｂと仕切板４の側壁４ａとの間に、第５の基板ＰＳ５〜第８のＰＳ８を着脱自在に保持するためのスナップフィット２０が矢印ＵＤで示す鉛直方向に沿って３個直列に設けられている。
【００２２】
同様に、基板収納空間ＳＳ３においても、仕切板４の側壁４ｂと筐体２の内側側壁２ｂとの間に、第９の基板ＰＳ９〜第１２の基板ＰＳ１２を着脱自在に保持するためのスナップフィット２０が矢印ＵＤで示す鉛直方向に沿って３個直列に設けられている。
【００２３】
基板収納空間ＳＳ１において、第１の基板ＰＳ１の矢印Ｕ方向の上端部を両側から挟み付けた状態で保持する凹部からなる基板保持部１１が筐体２の天面に一体に形成されている。また基板収納空間ＳＳ１において、第４の基板ＰＳ４の矢印Ｄ方向の下端部を両側から挟み付けた状態で保持する凹部からなる基板保持部１２が筐体２の底面に一体に形成されている。
【００２４】
同様に、基板収納空間ＳＳ２、ＳＳ３においても、基板ＰＳ５、ＰＳ９の矢印Ｕ方向の上端部を両側から挟み付けた状態で保持する凹部からなる基板保持部１３、１５が筐体２の天井面に一体に形成されている。また基板収納空間ＳＳ２、ＳＳ３において、基板ＰＳ８、ＰＳ１２の矢印Ｄ方向の下端部を両側から挟み付けた状態で保持する凹部からなる基板保持部１４、１６が筐体２の底面に一体に形成されている。
【００２５】
基板収納空間ＳＳ１において、筺体２の天面に設けられた基板保持部１１の凹部底面と、矢印Ｕ方向の最上段に設けられた１番目のスナップフィット２０を構成する角柱棒状の支持部２２（図５）の上面との間隔は、図４に示すように、第１の基板ＰＳ１の短手方向の幅ｗよりも僅かに大きく設定されている。１番目のスナップフィット２０の支持部２２の下面と２番目のスナップフィット２０の支持部２２の上面との間隔、および、２番目のスナップフィット２０の支持部２２の下面と３番目のスナップフィット２０の支持部２２の上面との間隔についても、第２の基板ＰＳ２、第３の基板ＰＳ３の短手方向の幅ｗよりも僅かに大きく設定されている。筐体２の底面に設けられた基板保持部１２の凹部底面と３番目のスナップフィット２０の支持部２２の下面との間隔についても、第４の基板ＰＳ４の短手方向の幅ｗよりも僅かに大きく設定されている。なお、基板収納空間ＳＳ２、ＳＳ３においても基板収納空間ＳＳ１と同様の構成を有している。
【００２６】
＜基板の構成＞
第１の基板ＰＳ１乃至第１２の基板ＰＳ１２は全て同一構成であり、ここでは便宜上、図５に示すように第１の基板ＰＳ１および第２の基板ＰＳ２を用いて説明する。第１の基板ＰＳ１および第２の基板ＰＳ２は、平面視矩形状に形成されている。第１の基板ＰＳ１は、矢印Ｄ方向の一の長辺の先端に平面視Ｌ字状の第１切欠部Ｋ１が形成されている。第２の基板ＰＳ２は、矢印Ｕ方向の他の長辺の先端側に所定形状の凹部でなる第２切欠部Ｋ２が形成されている。すなわち、第１の基板ＰＳ１および第２の基板ＰＳ２においては、矢印Ｄ方向の一の長辺の先端に平面視Ｌ字状の第１切欠部Ｋ１が形成されているとともに、矢印Ｕ方向の他の長辺の先端側に所定形状の凹部でなる第２切欠部Ｋ２が形成されている。
【００２７】
ここで、第１の基板ＰＳ１および第２の基板ＰＳ２における矢印Ｄ方向の他の長辺には、矢印Ｆ方向へ向かうに連れて矢印Ｕ方向へ傾斜された傾斜面ｍ１が形成され、その傾斜面ｍ１に対して第１切欠部Ｋ１が形成されている。
【００２８】
＜スナップフィットの構成＞
図２、図４および図５に示したように、スナップフィット２０は、矢印ＢＦ方向（第１の基板ＰＳ１の奥行方向）に向かって所定長さを有する角柱棒状の可撓性を有する支持部２２と、その支持部２２の矢印Ｂ方向の基端部において基板収納空間ＳＳ１を構成する筐体２の内側側壁２ａおよび仕切板３の側壁３ａと一体に固定される基部２１と、支持部２２の矢印Ｆ方向の先端部において矢印Ｕ方向側に一体に突設された第１係合凸部２７および矢印Ｄ方向側に突設された第２係合凸部２６とによって構成されている。なお、図４および図５においては、見易さを考慮して図２で示された基部２１を省略している。
【００２９】
スナップフィット２０の第１係合凸部２７は、第１の基板ＰＳ１の傾斜面ｍ１に設けられた第１切欠部Ｋ１と係合可能な形状および大きさの凸状部でなり、支持部２２の上面から矢印Ｕ方向へ突出し、その突出した高さが第１切欠部Ｋ１の切欠深さと同じになるように設定されている。
【００３０】
スナップフィット２０の第２係合凸部２６は、第２の基板ＰＳ２に設けられた第２切欠部Ｋ２と係合可能な形状および大きさの凸状部でなり、支持部２２の下面から矢印Ｄ方向へ突出し、その突出した高さが第２切欠部Ｋ２の切欠深さと同じになるように設定されている。
【００３１】
ただし、第１の基板ＰＳ１および第２の基板ＰＳ２における第１切欠部Ｋ１は斜面ｍ１に設けられているため、第１の基板ＰＳ１および第２の基板ＰＳ２が装着された状態においては、第１の基板ＰＳ１および第２の基板ＰＳ２の第２切欠部Ｋ２とスナップフィット２０の第２係合凸部２６との係合量に比べて、第１の基板ＰＳ１および第２の基板ＰＳ２の第１切欠部Ｋ１とスナップフィット２０の第１係合凸部２７との係合量は少なくなる。
【００３２】
またスナップフィット２０は、支持部２２の矢印Ｆ方向の先端部において、第１係合凸部２６および第２係合凸部２７の双方を矢印ＬＲ方向の両側から挟み付けるように形成された平面視五角形状のガイド部２３、２３が支持部２２と一体に形成されている。２つのガイド部２３、２３間の間隔（図５（Ａ））は、第１の基板ＰＳ１乃至第３の基板ＰＳ３の厚さよりも僅かに大きく形成されている。
【００３３】
さらにスナップフィット２０は、支持部２２の矢印Ｆ方向の先端部の矢印ＵＤ方向に沿った端面であって、第１係合凸部２６と第２係合凸部２７との間に、マイナスドライバー等の工具の先端を差し込むための所定深さの工具差込口２５が形成されている。
【００３４】
＜基板を基板収納空間に装着する装着動作＞
図５に示すように、スナップフィット付筐体１の基板収納空間ＳＳ１に例えば第２の基板ＰＳ２を装着する場合、当該第２の基板ＰＳ２よりも矢印Ｕ方向の上方に設けられた上から１番目のスナップフィット２０のガイド部２３、２３の隙間、および、その下方に設けられた上から２番目のスナップフィット２０のガイド部２３、２３の隙間に第２の基板ＰＳ２をスライドさせながら差し込む。
【００３５】
このとき、第２の基板ＰＳ２の矢印Ｕ方向の一の長辺が上から１番目のスナップフィット２０の第２係合凸部２６に当接されるため、第２の基板ＰＳ２が基板収納空間ＳＳ１内で矢印Ｂ方向へ押し込まれるとき、上から１番目のスナップフィット２０の支持部２２が矢印Ｕ方向へ持ち上げられて撓み、上方の第１の基板ＰＳ１の傾斜面ｍ１に当該支持部２２が当接するまで押し上げられる。
【００３６】
その後、第２の基板ＰＳ２の第２切欠部Ｋ２と上から１番目のスナップフィット２０の第２係合凸部２６とが対向する位置まで当該第２の基板ＰＳ２が押し込まれると、その時点で上から１番目のスナップフィット２０の第２係合凸部２６が第２の基板ＰＳ２の第２切欠部Ｋ２に係合するとともに、当該スナップフィット２０の支持部２２の撓みが解消される。
【００３７】
このとき第２の基板ＰＳ２は、上から１番目のスナップフィット２０のガイド部２３、２３および上から２番目のスナップフィット２０のガイド部２３、２３により上端部および下端部が支持された状態で倒れることなく保持される。
【００３８】
同時に、第２の基板ＰＳ２の第２切欠部Ｋ２と上から１番目のスナップフィット２０の第２係合凸部２６との係合により当該第２の基板ＰＳ２が矢印Ｆ方向に引き抜かれることが防止される。なお、この状態において、第２の基板ＰＳ２の第１切欠部Ｋ１は傾斜面ｍ１の先端に設けられているため、上から２番目のスナップフィット２０の第１係合凸部２７と係合していない。
【００３９】
＜基板を基板収納空間から取り外す取外動作＞
図６（Ａ）乃至（Ｃ）は、第２の基板ＰＳ２を基板収納空間ＳＳ１から取り外すときのスナップフィット２０の状態変化を示し、図７は第２の基板ＰＳ２を基板収納空間ＳＳ１から取り外すときのスナップフィット２０の状態変化を拡大して示す。
【００４０】
基板収納空間ＳＳ１から第２の基板ＰＳ２を取り外す場合、作業者が指先で第２の基板ＰＳ２を掴んで引っ張っても、第２の基板ＰＳ２の第２切欠部Ｋ２と上から１番目のスナップフィット２０の第２係合凸部２６との係合により矢印Ｆ方向へ引き抜くことはできない。
【００４１】
作業者は、マイナスドライバーＤｒ（−）の先端を上から１番目のスナップフィット２０の工具差込口２５に差込み、そのまま矢印Ｕ方向へマイナスドライバーＤｒ（−）を矢印Ｕ方向の上方へ持ち上げる。なお、作業者はマイナスドライバーＤｒ（−）を用いることなく指先で上から１番目のスナップフィット２０を矢印Ｕ方向の上方へ持ち上げることも可能である。
【００４２】
これにより、上から１番目のスナップフィット２０の支持部２２はマイナスドライバーＤｒ（−）の動きとともに矢印Ｕ方向の上方へ押し上げられ、やがて、上方の第１の基板ＰＳ１の傾斜面ｍ１に上から１番目のスナップフィット２０の支持部２２が押し当てられる。
【００４３】
このとき、上から１番目のスナップフィット２０の第２係合凸部２６と第２の基板ＰＳ２の第２切欠部Ｋ２との係合状態が解除されるとともに、上から１番目のスナップフィット２０の第１係合凸部２７が上方の第１の基板ＰＳ１の第１切欠部Ｋ１と係合する。このため、上から１番目のスナップフィット２０の第１係合凸部２７により上方の第１の基板ＰＳ１の矢印Ｆ方向への取り外しが防止される。
【００４４】
したがって、第２の基板ＰＳ２（図６（Ｃ））が矢印Ｆ方向へ引き抜かれるとき、上から１番目のスナップフィット２０の第２係合凸部２６と第２の基板ＰＳ２とが干渉することなく容易に引き抜かれる。このとき、第２の基板ＰＳ２の第１切欠部Ｋ１と、上から２番目のスナップフィット２０の第１係合凸部２７との係合状態は殆ど無いに等しいので、上から２番目のスナップフィット２０の第１係合凸部２７により第２の基板ＰＳ２の引き抜きが阻害されることはない。
【００４５】
一方、上方の第１の基板ＰＳ１の傾斜面ｍ１に上から１番目のスナップフィット２０の支持部２２が押し当てられたとき、上から１番目のスナップフィット２０の第１係合凸部２７については、上方の第１の基板ＰＳ１の第１切欠部Ｋ１と係合する。これにより、第２の基板ＰＳ２については容易に引き抜かれるものの、当該第２の基板ＰＳ２の引き抜きに伴って上方の第１の基板ＰＳ１までもが同時に引き抜かれることが上から１番目のスナップフィット２０の第１係合凸部２７により防止される。
【００４６】
このようにスナップフィット付筐体１では、複数のスナップフィット２０を介して第１の基板ＰＳ１〜第１２の基板ＰＳ１２を装着することができるとともに、１本のマイナスドライバーＤｒ（−）だけを操作してスナップフィット２０を破損させることなく所望の第２の基板ＰＳ２だけを容易に取り外すことができる。
【００４７】
かくして、簡単な操作で第１の基板ＰＳ１〜第１２の基板ＰＳ１２とスナップフィット２０との係合状態を解消するとともに何度でもスナップフィット２０を再利用できるのでリサイクルにも最適なスナップフィット２０および当該スナップフィット２０が筐体２と一体に設けられたスナップフィット付筐体１を実現することができる。
【００４８】
＜他の実施の形態＞
なお、上述した実施の形態においては、上から１番目のスナップフィット２０が撓みのない状態にあるとき、第２の基板ＰＳ２の第２切欠部Ｋ２と上から１番目のスナップフィット２０の第２係合凸部２６との係合量よりも、上方の第１の基板ＰＳ１の第１切欠部Ｋ１と上から１番目のスナップフィット２０の第１係合凸部２７との係合量を少なくした当該第１係合凸部２７を設けるようにした場合について述べた。
【００４９】
しかしながら、本発明はこれに限らず、図８（Ａ）に示すように、第２の基板ＰＳ２が装着された状態において、上方の第１の基板ＰＳ１の第１切欠部Ｋ１との係合量を完全に無くした突出高さを持つ第１係合凸部３７を上から１番目のスナップフィット２０に設けるようにしても良い。
【００５０】
また、図８（Ｂ）に示すように、本実施の形態と同様に、上から１番目のスナップフィット２０が撓みのない状態にあるとき、第２の基板ＰＳ２の第２切欠部Ｋ２と上から１番目のスナップフィット２０の第２係合凸部２６との係合量よりも、第１の基板ＰＳ１の第１切欠部Ｋ１と上から１番目のスナップフィット２０の第１係合凸部４７との係合量を少なく設定することに加えて、当該第１係合凸部４７にＲ面を設けるようにしても良い。この場合、第１の基板ＰＳ１の第１切欠部Ｋ１と上から１番目のスナップフィット２０の第１係合凸部４７とが僅かに係合していても、第１の基板ＰＳ１が引き抜かれる際に上から１番目のスナップフィット２０の第１係合凸部４７のＲ面により第１の基板ＰＳ１の第１切欠部Ｋ１との係合状態が容易に解消されるため、当該第１の基板ＰＳ１を一段と容易に取り外すことができる。
【００５１】
さらに、上述した実施の形態においては、例えば基板収納空間ＳＳ１において第１の基板ＰＳ１乃至第４の基板ＰＳ４をその面同士が重ねられることなく矢印ＵＤで示す平面上に並べるように配置した場合について述べたが、本発明はこれに限らず、矢印ＬＲで示す水平方向に設けられた基板収納空間においてその面同士が重ねられることなく回路基板ＰＳ１乃至ＰＳ４を水平方向に並べるように配置しても良い。
【符号の説明】
【００５２】
１……スナップフィット付筐体、２……筐体、２ａ……カバー、３、４……仕切板、１１〜１６……基板保持部、２０……スナップフィット、２１……基部、２２……本体部、２３……ガイド部、２５……工具差込口、２６……第２係合凸部、２７、３７、４７……第１係合凸部、Ｋ１……第１切欠部、Ｋ２……第２切欠部。
【図１】
0006305910.tif 000002
【図２】
0006305910.tif 000003
【図３】
0006305910.tif 000004
【図４】
0006305910.tif 000005
【図５】
0006305910.tif 000006
【図６】
0006305910.tif 000007
【図７】
0006305910.tif 000008
【図８】
0006305910.tif 000009